(57)【特許請求の範囲】
【請求項１】
鋼管等の構造材を適宜継ぎ足して橋脚を施工するにあたり、構造材とその外周に仮設される昇降設備との間を固定する繋ぎ部材について、この繋ぎ部材の設置位置において前記構造材の周囲にコンクリートを打設するためのスリップフォーム装置が上昇下降する際の当該繋ぎ部材の盛替え方法であって、
前記昇降設備との固設箇所を基点に少なくとも上下いずれか一方に回倒可能な繋ぎ部材と前記構造材との間を、脱着可能な固定プレートを介して接続固定し、前記スリップフォームが上昇下降を行う場合に前記固定プレートの構造材或いは繋ぎ部材との固定を解除し、繋ぎ部材を回倒させることにより、繋ぎ部材の分割・解体作業等を行うことなくその盛替えが可能であることを特徴とする高橋脚における昇降設備繋ぎ部材の盛替え方法。
【発明の詳細な説明】
【０００１】
【発明の属する技術分野】
本発明は橋梁下部構造物のうち橋脚を施工するにあたり、所定長の鋼管や鉄筋等を建て込み、或いは継ぎ足す作業を繰り返す際に必要な仮設の昇降階段等の昇降設備と、橋脚の構造材とを繋ぐ繋ぎ部材の盛替え方法に関する。
【０００２】
【従来の技術】
島嶼部と本州とを結ぶ長大橋やあるいは山間の橋梁等においては、その設置状況からして高橋脚である場合が多いが、このような高橋脚を施工するには所定長の鋼管を井筒状に配置して上方に継ぎ足し設置したり、或いは基礎コンクリート部分から立ち上げた鉄筋を橋脚構造の完工に伴って上方に継ぎ足したりといった繰り返し作業が行われることになる。
【０００３】
このような作業を行うには橋脚外周に仮設される階段等の昇降設備が必要とされる。この昇降設備と橋脚とを結びつけて固定するのが、例えば枠状の繋ぎ部材である。
【０００４】
従来この繋ぎ部材は、前記鋼管や鉄筋等に固設されたプレートに載置・固定されることとなっており、コンクリート打設作業に伴うスリップフォーム設備の上昇下降にあたって繋ぎ部材全体の分解・解体を繰り返すことでその盛替え作業を行っていた。
【０００５】
【発明が解決しようとする課題】
しかしながら、従来の盛替え方法においては前記プレートが構造材に固定されたもので、しかも繋ぎ部材自体もなんらの可動性も備えていなかった。したがって、コンクリート打設の進行に伴い上述のようにスリップフォームを上昇下降させるに際して行われる繋ぎ部材の盛替え作業に伴い、繋ぎ部材全体の落下を防止しつつ、昇降設備と構造材との間に固定されていたプレートを各個固定解除し再設置する作業を必要とした。
【０００６】
このプレートの固定解除と再設置とを行う作業は、橋脚工事の性格上、自ずと高所の限定スペースでの作業となり作業環境が不良で、作業自体の煩雑さと相まって盛替え作業全体の非効率化は避けがたいものとなっていた。
【０００７】
また、繋ぎ部材を前記プレートを介して鉄筋等の構造材と固定する際に、例えばプレート形状と鉄筋間隔とが寸法的に適合しにくい場合がかなり生じてしまい、繋ぎ部材自体の取付け固定が困難になる状況もあった。そのため、一旦あるプレートを固定した後に他のプレートの構造材との不整合のために、プレート交換や再位置決め及び再固定作業などを行わなければならないといった問題も頻発していた。
【０００８】
しかして、上述のように煩雑で非効率的な作業を仮設作業に要していたのでは、本工事に与えるコスト上、工期上の悪影響は図り知れず、このことが施工サイクル中に効率低下の悪循環を生み出す素因ともなっていた。
【０００９】
そこで、本発明はこのような従来の課題に着目してなされたもので、スリップフォーム設備の上昇下降といった施工状況の変化に応じ簡便確実に、鋼管等の橋脚構造物と昇降設備とを繋ぐ繋ぎ部材を盛替え可能にする高橋脚における昇降設備繋ぎ部材の盛替え方法を提供するものである。
【００１０】
【課題を解決するための手段】
この発明は上記目的を達成するためになされたもので、鋼管等の構造材を適宜継ぎ足して橋脚を施工するにあたり、構造材とその外周に仮設される昇降設備との間を固定する繋ぎ部材について、この繋ぎ部材の設置位置において前記構造材の周囲にコンクリートを打設するためのスリップフォーム装置が上昇下降する際の当該繋ぎ部材の盛替え方法であって、前記昇降設備との固設箇所を基点に少なくとも上下いずれか一方に回倒可能な繋ぎ部材と前記構造材との間を、脱着可能な固定プレートを介して接続固定し、前記スリップフォームが上昇下降を行う場合に前記固定プレートの構造材或いは繋ぎ部材との固定を解除し、繋ぎ部材を回倒させることにより、繋ぎ部材の分割・解体作業等を行うことなくその盛替えが可能であることを特徴とする。
【００１１】
【発明の実施の形態】
以下、本発明の好ましい実施の形態につき、添付図面を参照して詳細に説明する。図１（ａ）は本発明の高橋脚における昇降設備繋ぎ部材の盛替え方法において用いられる繋ぎ部材１０の取付け構造を示す説明図であり、同図（ｂ）は、繋ぎ部材１０の回倒構造を示す説明図である。この繋ぎ部材１０は、仮設階段などの昇降設備Ｓに取付け治具１１を介して取り付けられる例えば枠体であり、係る治具１１との取り合い部分１２を回転式とすることで、少なくとも上下いずれかに回倒可能な構造を備えている（本実施例では上方に回倒する）。前記取り合い部分１２は、例えば治具１１本体に鋼棒を打設して回倒基点１２ａとしたピン接合構造をなしている。
【００１２】
また、係る繋ぎ部材１０と鋼管などの橋脚構造物Ｐとは固定プレートＦを介して脱着自在に接続固定されることとなる。この固定プレートＦは、橋脚構造物Ｐ外周に存する配筋等に当接させ、その配筋間隔等とうまく適合するような例えば略Ｕ字型の形状をなすものである。本実施例においては、Ｕ字型の開口Ｆａに当接された鉄筋を挟み込み、続いて固定プレート端部Ｆｂと橋脚構造物Ｐ外周の仮設足場等とをボルトＢにより締結することで繋ぎ部材１０と橋脚構造物Ｐとの固定を行っている。
【００１３】
このような構造を備えた繋ぎ部材１０は昇降設備Ｓが設置される橋脚構造物Ｐ外周に亘って取付けられる訳だが、その設置数と間隔とについては設置される昇降設備Ｓの重量や形状、及び昇降設備Ｓに予想される載荷重や風荷重等を考慮し更に工事状況に応じ決定される。
【００１４】
繋ぎ部材１０を回倒させる際には、例えば固定プレートＦのボルトＢを抜去して繋ぎ部材１０自体を引き上げればよく、一方回倒していた繋ぎ部材１０を引き下ろして固定する際には、取り合い部分１２の回倒基点１２ａを中心に繋ぎ部材１０を下方に回倒させ、配筋とうまく当接させつつ固定プレートＦと仮設足場などとをボルトＢにより締結すればよいのである。以下、実際に鋼管を橋脚構造物Ｐとして建て込んで、スリップフォーム設備によるコンクリート打設作業を行う状況を想定し、スリップフォーム設備の上昇下降に伴う繋ぎ部材１０の盛替え例を説明する。
【００１５】
図２〜６は本発明の高橋脚における昇降設備繋ぎ部材の盛替え方法を採用した場合における橋脚構築作業の第１〜５ステップを各々示す説明図である。ここで使用される鋼管Ｋは例えば”定尺もの”と言われる規格サイズの鋼管が一般的であり、直径９００ｍｍ〜２０００ｍｍ、長さは１０ｍ前後のものが多い。図２に示す如く、この鋼管Ｋを例えばコンクリート製の橋脚基礎（地下あるいは半地下）と一体に建て込んで位置決めしフーチングコンクリートを打設する。
【００１６】
基礎部分から立ち上げた鋼管Ｋを適宜継ぎ足しつつ、図３のように昇降設備Ｓを付帯させる。この際、鋼管Ｋと昇降設備Ｓとの間は本発明における繋ぎ部材１０により接続固定される。この固定方法は上述した通りである。作業全体の流れの一例としては、鋼管Ｋの建込み、位置決め、作業用足場の組み立て、ブレース組み立て、鋼管Ｋの溶接、昇降設備Ｓの組み立て、鉄筋の建込みを順次繰り返すこととなる。所定の橋脚高さまで鋼管Ｋを継ぎ足した状態が図４である。鋼管Ｋの建込みと鉄筋建込みとが一旦終了したら、図５のようにスリップフォーム設備３０により橋脚下方よりコンクリート打設を行っていく。このスリップフォーム設備３０は、橋脚構造物を形成する鋼管Ｋや配筋等の外周を囲繞し、例えば立体トラス構造をなす環状構造物である。型枠の組み立て・取付けや脱型等を容易に行えるよう十分な作業エリアや駆動機構等を備えており、橋脚を形成するコンクリート躯体を適宜区分毎に打設し、一区画の打設が完了したら上方の次区画に上昇する。
【００１７】
このスリップフォーム設備３０の上昇（或いは下降）作業が行われるに際しては、繋ぎ部材１０と橋脚構造物Ｓとの接続固定を固定プレートＦのボルトＢを抜去することで解除し、続いて繋ぎ部材１０を上方に回倒させる。これにより、スリップフォーム設備３０は、繋ぎ部材１０の存在を意識することなく円滑に移動を行うことが可能となる。この移動が終了次第、必要に応じて再び繋ぎ部材１０は回倒状態から引き下ろされて本来の昇降設備Ｓの固定という機能を発揮する。
【００１８】
１つの橋脚全体のコンクリート打設が終わればスリップフォーム設備３０は下降し別の橋脚へと移設される。図６に、係るコンクリート打設が終了しスリップフォーム設備３０が橋脚基礎まで下降された状況を示す。以降、何本の橋脚を形成することとなろうと上記同様の手順を繰り返すことで、簡便かつ確実に迅速な繋ぎ部材１０の盛替えを行うことが可能である。
【００１９】
ただし、繋ぎ部材１０の取り合い部分１２の形状及び構造は、実施例の形態に限定されるものではなく、回倒を行う機構としてピン接合だけでなく回倒さえできれば何れの機構をも採用することが出来る。固定プレートＦの形状も、実施例のものに限定されず、橋脚構造物との当接面における取り合いと脱着固定機能が良好でありさえすれば、いずれの形状でも問題ない。
【００２０】
さらに、橋脚構造物Ｐの外周において繋ぎ部材１０を用いた例を示したが、繋ぎ部材１０の設置箇所はこの外周だけに限らず鋼管などの橋脚構造物Ｐと昇降設備Ｓとの間であればいずれの位置でも問題ない。
【００２１】
【発明の効果】
以上詳細に説明したように、本発明の高橋脚における昇降設備繋ぎ部材の盛替え方法は、鋼管等の構造材を適宜継ぎ足して橋脚を施工するにあたり、構造材とその外周に仮設される昇降設備との間を固定する繋ぎ部材について、この繋ぎ部材の設置位置において前記構造材の周囲にコンクリートを打設するためのスリップフォーム装置が上昇下降する際の当該繋ぎ部材の盛替え方法であって、前記昇降設備との固設箇所を基点に少なくとも上下いずれか一方に回倒可能な繋ぎ部材と前記構造材との間を、脱着可能な固定プレートを介して接続固定し、前記スリップフォームが上昇下降を行う場合に前記固定プレートの構造材或いは繋ぎ部材との固定を解除し、繋ぎ部材を回倒させることにより、繋ぎ部材の分割・解体作業等を行うことなくその盛替えが可能であることを特徴とする。
【００２２】
したがって本発明によれば、盛替え作業に従来必要とされていた、繋ぎ部材全体の落下を防止しつつ、昇降設備と構造材との間に固定されていたプレートを各個固定解除し再設置するといった作業は不必要となり、脱着可能な固定プレートと回倒可能な繋ぎ部材とにより、高所の限定された空間といった良好でない作業環境においても、例えば固定ボルトの抜去や繋ぎ部材の回倒など簡便な作業だけで盛替え手順を確実に実行でき、盛替え作業全体の著しい効率化を達成することが可能となった。
【００２３】
また、本発明における固定プレートは、鉄筋等の構造材と固定する際に、例えばプレート形状と鉄筋間隔とが寸法的に適合しやすいため、プレート交換や再位置決め及び再固定作業などを行うことなく確実に固定作業を行える。
【００２４】
しかして、盛替えに要される人員、各種機器類、及びそれらのコスト等が従来より大幅に低減され、工事全体上もコスト及び工期上の著しい改善効果を奏するのである。
【図面の簡単な説明】
【図１】（ａ）は本発明の高橋脚における昇降設備繋ぎ部材の盛替え方法において用いられる繋ぎ部材の取付け構造を示す説明図であり、同図（ｂ）は、繋ぎ部材の回倒構造を示す説明図である。
【図２】発明の高橋脚における昇降設備繋ぎ部材の盛替え方法を採用した場合における橋脚構築作業の第１ステップを示す説明図である。
【図３】発明の高橋脚における昇降設備繋ぎ部材の盛替え方法を採用した場合における橋脚構築作業の第２ステップを示す説明図である。
【図４】発明の高橋脚における昇降設備繋ぎ部材の盛替え方法を採用した場合における橋脚構築作業の第３ステップを示す説明図である。
【図５】発明の高橋脚における昇降設備繋ぎ部材の盛替え方法を採用した場合における橋脚構築作業の第４ステップを示す説明図である。
【図６】発明の高橋脚における昇降設備繋ぎ部材の盛替え方法を採用した場合における橋脚構築作業の第５ステップを示す説明図である。
【符号の説明】
Ｐ      橋脚構造材
Ｓ      昇降設備
Ｆ      固定プレート
１０    繋ぎ部材
３０    スリップフォーム設備
【図１】
0003757741.tif 000002
【図２】
0003757741.tif 000003
【図３】
0003757741.tif 000004
【図４】
0003757741.tif 000005
【図５】
0003757741.tif 000006
【図６】
0003757741.tif 000007